(57)【要約】【課題】トナー収容部と廃トナー蓄積部とを別々に交換できながら、廃トナー蓄積部と感光ドラムとを一緒に交換できる画像形成装置およびドラムカートリッジを提供する。【解決手段】ドラムカートリッジ５は、感光ドラム５０と、ドラムフレーム５１と、クリーニングブレード５３と、廃トナー回収部５４と、廃トナー蓄積部５５と、廃トナー搬送部５６とを備える。ドラムフレーム５１は、トナー収容部６０を備える現像カートリッジ６を載せることができる。廃トナー回収部５４の内部空間Ｓ１には、クリーニングブレード５３によって感光ドラム５０から取り除かれた廃トナーが回収される。廃トナー蓄積部５５は、ドラムフレーム５１の内部に設けられ、第２方向において感光ドラム５０に対して廃トナー回収部５４の反対側に位置する。廃トナー搬送部５６は、廃トナーを廃トナー回収部５４から廃トナー蓄積部５５に搬送する。【選択図】図１
2020160288.tif 000002
【特許請求の範囲】
【請求項１】
開口を有する筐体と、
トナーを収容するトナー収容部と、現像ローラとを備える現像カートリッジと、
前記現像カートリッジが装着された状態において前記開口を介して前記筐体内に装着可能なドラムカートリッジであって、
第１方向に延びる第１軸について回転可能な感光ドラムと、
前記現像カートリッジを装着可能なドラムフレームであって、前記現像カートリッジを載せることが可能なドラムフレームと、
前記感光ドラムの表面を帯電させる帯電ローラと、
第２方向において、前記感光ドラムに対して前記トナー収容部の反対側に位置し、前記感光ドラムの周面をクリーニングするクリーニングブレードと、
前記第２方向において、前記感光ドラムに対して前記トナー収容部の反対側に位置し、内部空間を有する廃トナー回収部であって、前記内部空間に前記クリーニングブレードによって前記感光ドラムの周面から取り除かれた廃トナーが回収される廃トナー回収部と、
前記第２方向において、前記感光ドラムに対して前記廃トナー回収部の反対側に位置し、内部空間を有する廃トナー蓄積部であって、前記ドラムフレームの内部に設けられ、前記内部空間に前記廃トナーが蓄積される廃トナー蓄積部と、
前記廃トナーを前記廃トナー回収部から前記廃トナー蓄積部に搬送するための廃トナー搬送部と、
を備えるドラムカートリッジと、
を備えることを特徴とする、画像形成装置。
【請求項２】
前記ドラムカートリッジは、さらに、前記感光ドラムに接触する転写ローラを備え、
前記廃トナー蓄積部は、前記第２方向において、前記転写ローラに対して前記廃トナー回収部の反対側に位置することを特徴とする、請求項１に記載の画像形成装置。
【請求項３】
前記ドラムカートリッジは、さらに、前記第２方向において、前記感光ドラムに対して前記廃トナー回収部の反対側に位置する搬送ローラを備えることを特徴とする、請求項１または２に記載の画像形成装置。
【請求項４】
前記搬送ローラは、前記ドラムフレームに回転可能に支持されることを特徴とする、請求項３に記載の画像形成装置。
【請求項５】
前記廃トナー蓄積部は、前記第２方向において、前記感光ドラムと前記搬送ローラとの間に位置することを特徴とする、請求項３または請求項４に記載の画像形成装置。
【請求項６】
前記廃トナー蓄積部は、前記第２方向において、前記搬送ローラに対して前記感光ドラムの反対側に位置することを特徴とする、請求項３または請求項４に記載の画像形成装置。
【請求項７】
前記第２方向は、前記第１方向と交差することを特徴とする、請求項１から請求項６のいずれか一項に記載の画像形成装置。
【請求項８】
前記感光ドラムを露光する露光部材をさらに備え、
前記露光部材は、前記第２方向において、前記廃トナー回収部と前記廃トナー蓄積部との間に位置することを特徴とする、請求項１から請求項７のいずれか一項に記載の画像形成装置。
【請求項９】
前記露光部材は、ＬＥＤユニットであり、
前記トナー収容部の一部は、前記第１方向および前記第２方向の両方向と交差する第３方向において、前記ＬＥＤユニットに対して前記廃トナー蓄積部の反対側まで延びることを特徴とする、請求項８に記載の画像形成装置。
【請求項１０】
前記廃トナー蓄積部は、前記現像カートリッジを複数回交換して画像形成したときに生じる廃トナーを収容可能であることを特徴とする、請求項１から請求項９のいずれか一項に記載の画像形成装置。
【請求項１１】
第１方向に延びる第１軸について回転可能な感光ドラムと、
トナーを収容するトナー収容部と、現像ローラとを備える現像カートリッジを装着可能なドラムフレームであって、前記現像カートリッジを載せることが可能なドラムフレームと、
前記感光ドラムの表面を帯電させる帯電ローラと、
第２方向において、前記感光ドラムに対して前記トナー収容部の反対側に位置し、前記感光ドラムの周面をクリーニングするクリーニングブレードと、
前記第２方向において、前記感光ドラムに対して前記トナー収容部の反対側に位置し、内部空間を有する廃トナー回収部であって、前記内部空間に前記クリーニングブレードによって前記感光ドラムの周面から取り除かれた廃トナーが回収される廃トナー回収部と、
前記第２方向において、前記感光ドラムに対して前記廃トナー回収部の反対側に位置し、内部空間を有する廃トナー蓄積部であって、前記ドラムフレームの内部に設けられ、前記内部空間に前記廃トナーが蓄積される廃トナー蓄積部と、
前記廃トナーを前記廃トナー回収部から前記廃トナー蓄積部に搬送するための廃トナー搬送部と、
を備えることを特徴とする、ドラムカートリッジ。
【請求項１２】
さらに、前記感光ドラムに接触する転写ローラを備え、
前記廃トナー蓄積部は、前記第２方向において、前記転写ローラに対して前記廃トナー回収部の反対側に位置することを特徴とする、請求項１１に記載のドラムカートリッジ。
【請求項１３】
さらに、前記第２方向において、前記感光ドラムに対して前記廃トナー回収部の反対側に位置する搬送ローラを備えることを特徴とする、請求項１１または１２に記載のドラムカートリッジ。
【請求項１４】
前記搬送ローラは、前記ドラムフレームに回転可能に支持されることを特徴とする、請求項１３に記載のドラムカートリッジ。
【請求項１５】
前記廃トナー蓄積部は、前記第２方向において、前記感光ドラムと前記搬送ローラとの間に位置することを特徴とする、請求項１３または請求項１４に記載のドラムカートリッジ。
【請求項１６】
前記廃トナー蓄積部は、前記第２方向において、前記搬送ローラに対して前記感光ドラムの反対側に位置することを特徴とする、請求項１３または請求項１４に記載のドラムカートリッジ。
【請求項１７】
前記第２方向は、前記第１方向と交差することを特徴とする、請求項１１から請求項１６のいずれか一項に記載のドラムカートリッジ。
【発明の詳細な説明】
【技術分野】
【０００１】
本開示は、画像形成装置およびドラムカートリッジに関する。
【背景技術】
【０００２】
従来、画像形成装置は、ドラムカートリッジと、現像カートリッジとを備える。ドラムカートリッジは、感光ドラムと、クリーニングブレードと、廃トナー搬送部とを備える。現像カートリッジは、現像ローラと、トナー収容部と、廃トナー蓄積部とを備える。クリーニングブレードは、感光ドラムの周面をクリーニングする。廃トナー搬送部は、クリーニングブレードによって感光ドラムの周面から取り除かれた廃トナーを、廃トナー蓄積部に搬送する。廃トナー蓄積部は、廃トナーを蓄積する（下記特許文献１参照）。
【先行技術文献】
【特許文献】
【０００３】
【特許文献１】特開２０１７−１８２０１３号公報
【発明の概要】
【発明が解決しようとする課題】
【０００４】
上記した特許文献１に記載の画像形成装置では、現像カートリッジが、トナー収容部と、廃トナー蓄積部とを備える。そのため、トナー収容部と廃トナー蓄積部とは、現像カートリッジの交換により一緒に交換される。しかし、画像形成したときに生じる廃トナーは、画像形成に消費されるトナーよりも少ない。そのため、トナー収容部の交換時期と廃トナー蓄積部の交換時期とが異なる場合がある。そこで、トナー収容部と廃トナー蓄積部とを別々に交換したいという要望がある。
【０００５】
そこで、本開示の目的は、トナー収容部と廃トナー蓄積部とを別々に交換できながら、廃トナー蓄積部と感光ドラムとを一緒に交換できる画像形成装置およびドラムカートリッジを提供することにある。
【課題を解決するための手段】
【０００６】
（１）本開示の画像形成装置は、筐体と、現像カートリッジと、ドラムカートリッジとを備える。筐体は、開口を有する。現像カートリッジは、トナー収容部と、現像ローラとを備える。トナー収容部は、トナーを収容する。ドラムカートリッジは、現像カートリッジが装着された状態において開口を介して筐体内に装着可能である。ドラムカートリッジは、感光ドラムと、ドラムフレームと、帯電ローラと、クリーニングブレードと、廃トナー回収部と、廃トナー蓄積部と、廃トナー搬送部とを備える。感光ドラムは、第１方向に延びる第１軸について回転可能である。ドラムフレームは、現像カートリッジを装着可能である。ドラムフレームは、現像カートリッジを載せることが可能である。帯電ローラは、感光ドラムの表面を帯電させる。クリーニングブレードは、感光ドラムの周面をクリーニングする。クリーニングブレードは、第２方向において、感光ドラムに対してトナー収容部の反対側に位置する。廃トナー回収部は、内部空間を有する。廃トナー回収部の内部空間には、クリーニングブレードによって感光ドラムの周面から取り除かれた廃トナーが回収される。廃トナー回収部は、第２方向において、感光ドラムに対してトナー収容部の反対側に位置する。
【０００７】
廃トナー蓄積部は、内部空間を有する。廃トナー蓄積部の内部空間には、廃トナーが蓄積される。廃トナー蓄積部は、第２方向において、感光ドラムに対して廃トナー回収部の反対側に位置する。廃トナー蓄積部は、ドラムフレームの内部に設けられる。廃トナー搬送部は、廃トナーを廃トナー回収部から廃トナー蓄積部に搬送する。
【０００８】
このような構成によれば、現像カートリッジがトナー収容部を備え、ドラムカートリッジが廃トナー蓄積部を備えるので、トナー収容部と廃トナー蓄積部とを別々に交換できる。また、廃トナー回収部の内部空間に廃トナーを回収でき、廃トナー蓄積部の内部空間に廃トナーを蓄積できるので、ドラムカートリッジは、感光ドラムの交換時期までに生じる廃トナーを収容できる。そのため、感光ドラムと廃トナー蓄積部とを一緒に交換できる。
【０００９】
（２）ドラムカートリッジは、さらに、転写ローラを備えてもよい。転写ローラは、感光ドラムに接触する。廃トナー蓄積部は、第２方向において、転写ローラに対して廃トナー回収部の反対側に位置してもよい。
【００１０】
（３）ドラムカートリッジは、さらに、搬送ローラを備えてもよい。搬送ローラは、第２方向において、感光ドラムに対して廃トナー回収部の反対側に位置する。
【００１１】
（４）搬送ローラは、ドラムフレームに回転可能に支持されてもよい。
【００１２】
（５）廃トナー蓄積部は、第２方向において、感光ドラムと搬送ローラとの間に位置してもよい。
【００１３】
（６）廃トナー蓄積部は、第２方向において、搬送ローラに対して感光ドラムの反対側に位置してもよい。
【００１４】
（７）第２方向は、第１方向と交差してもよい。
【００１５】
（８）画像形成装置は、さらに、露光部材を備えてもよい。露光部材は、感光ドラムを露光する。露光部材は、第２方向において、廃トナー回収部と廃トナー蓄積部との間に位置してもよい。
【００１６】
（９）露光部材は、ＬＥＤユニットであってもよい。トナー収容部の一部は、第１方向および第２方向の両方向と交差する第３方向において、ＬＥＤユニットに対して廃トナー蓄積部の反対側まで延びてもよい。
【００１７】
（１０）廃トナー蓄積部は、現像カートリッジを複数回交換して画像形成したときに生じる廃トナーを収容可能であってもよい。
【００１８】
（１１）本開示のドラムカートリッジは、感光ドラムと、ドラムフレームと、帯電ローラと、クリーニングブレードと、廃トナー回収部と、廃トナー蓄積部と、廃トナー搬送部とを備える。感光ドラムは、第１方向に延びる第１軸について回転可能である。ドラムフレームは、現像カートリッジを装着可能である。ドラムフレームは、現像カートリッジを載せることが可能である。現像カートリッジは、トナー収容部と、現像ローラとを備える。トナー収容部は、トナーを収容する。帯電ローラは、感光ドラムの表面を帯電させる。クリーニングブレードは、感光ドラムの周面をクリーニングする。クリーニングブレードは、第２方向において、感光ドラムに対してトナー収容部の反対側に位置する。廃トナー回収部は、内部空間を有する。廃トナー回収部の内部空間には、クリーニングブレードによって感光ドラムの周面から取り除かれた廃トナーが回収される。廃トナー回収部は、第２方向において、感光ドラムに対してトナー収容部の反対側に位置する。
【００１９】
廃トナー蓄積部は、内部空間を有する。廃トナー蓄積部の内部空間には、廃トナーが蓄積される。廃トナー蓄積部は、第２方向において、感光ドラムに対して廃トナー回収部の反対側に位置する。廃トナー蓄積部は、ドラムフレームの内部に設けられる。廃トナー搬送部は、廃トナーを廃トナー回収部から廃トナー蓄積部に搬送する。
【発明の効果】
【００２０】
本開示の画像形成装置およびドラムカートリッジによれば、トナー収容部と廃トナー蓄積部とを別々に交換できながら、廃トナー蓄積部と感光ドラムとを一緒に交換できる。
【図面の簡単な説明】
【００２１】
【図１】図１は、画像形成装置の概略構成図である。
【図２】図２は、ドラムカートリッジおよび現像カートリッジの概略構成図である。
【図３】図３は、筐体に対するドラムカートリッジの装着を説明するための説明図である。
【図４】図４は、ドラムカートリッジに対する現像カートリッジの装着を説明するための説明図である。
【図５】図５は、現像部に対するトナー収容部の装着を説明するための説明図である。
【図６】図６Ａは、ドラムカートリッジの第１の変形例の概略構成図である。図６Ｂは、ドラムカートリッジの第２の変形例の概略構成図である。
【発明を実施するための形態】
【００２２】
１．画像形成装置１の概略
図１を参照して、画像形成装置１の概略について説明する。
【００２３】
画像形成装置１は、筐体２と、カバー３と、シート供給部４と、ドラムカートリッジ５と、露光装置７と、現像カートリッジ６と、定着装置８と、を備える。
【００２４】
１．１  筐体２
筐体２は、シート供給部４と、ドラムカートリッジ５と、現像カートリッジ６と、露光装置７と、定着装置８とを収容する。筐体２は、開口２０を有する。開口２０は、ドラムカートリッジ５に対して、定着装置８の反対側に位置する。
【００２５】
１．３  カバー３
カバー３は、閉状態と、開状態（図３参照）とを有する。カバー３が閉状態である場合、カバー３は、開口２０を閉じる。カバー３が開状態である場合、開口２０が開く（図３参照）。
【００２６】
１．４  シート供給部４
シート供給部４は、感光ドラム５０にシートＳを供給する。感光ドラム５０については後述する。シート供給部４は、シートカセット４０と、ピックアップローラ４１と、複数の搬送ローラ４２とを備える。シートカセット４０は、シートＳを収容する。シートＳは、例えば、印刷用紙である。ピックアップローラ４１は、シートカセット４０内のシートＳをピックアップして、ピックアップしたシートＳを搬送ローラ４２に向かって搬送する。複数の搬送ローラ４２は、ピックアップローラ４１からのシートＳを感光ドラム５０に向かって搬送する。
【００２７】
１．５  ドラムカートリッジ５
ドラムカートリッジ５は、感光ドラム５０と、帯電ローラ５２と、転写ローラ５７と、を備える。
【００２８】
１．５．１  感光ドラム５０
感光ドラム５０は、第１軸Ａについて回転可能である。第１軸Ａは、第１方向に延びる。感光ドラム５０は、第１軸Ａに沿って第１方向に延びる。感光ドラム５０は、円筒形状を有する。
【００２９】
１．５．２  帯電ローラ５２
帯電ローラ５２は、感光ドラム５０の表面を帯電させる。帯電ローラ５２は、感光ドラム５０の表面に接触する。
【００３０】
１．５．３  転写ローラ５７
転写ローラ５７は、トナー像を感光ドラム５０の表面からシートＳに転写する。転写ローラ５７には、転写バイアスが印加される。転写ローラ５７は、感光ドラム５０に接触する。転写ローラ５７は、感光ドラム５０に対して帯電ローラ５２の反対側に位置する。
【００３１】
１．６  露光装置７
露光装置７は、感光ドラム５０を露光する。具体的には、露光装置７は、帯電ローラ５２によって帯電された感光ドラム５０の表面を露光することにより、感光ドラム５０の表面に静電潜像を形成する。露光装置７は、具体的には、ＬＥＤユニットである。露光装置７は、帯電ローラ５２と現像ローラ６１Ｃとの間に位置する。現像ローラ６１Ｃについては、後で説明する。
【００３２】
１．７  現像カートリッジ６
現像カートリッジ６は、ドラムカートリッジ５に装着可能である。現像カートリッジ６は、トナー収容部６０と、現像器６１とを備える。
【００３３】
１．７．１  トナー収容部６０
トナー収容部６０は、トナーを収容する。トナー収容部６０は、現像器６１に装着可能である。トナー収容部６０は、現像器６１に対して感光ドラム５０の反対側に位置する。トナー収容部６０は、収容筐体６０Ａと、供給部６０Ｂと、アジテータ６０Ｃと、オーガスクリュー６０Ｄとを有する。
【００３４】
収容筐体６０Ａは、トナーを収容する。収容筐体６０Ａは、シートＳがＡ４サイズの印刷用紙である場合に、３０，０００枚のシートＳに印刷可能な量のトナーを収容可能である。
【００３５】
供給部６０Ｂは、収容筐体６０Ａ内のトナーを、現像器６１の現像筐体６１Ａに供給する。供給部６０Ｂは、収容筐体６０Ａから突出する。供給部６０Ｂは、現像器６１の現像筐体６１Ａに取り付けられる。供給部６０Ｂは、内部空間を有する。供給部６０Ｂの内部空間は、収容筐体６０Ａの内部空間と通じる。供給部６０Ｂは、トナーを排出するための排出口６０１を有する。供給部６０Ｂが現像筐体６１Ａに取り付けられた状態で、排出口６０１は、現像筐体６１Ａの受入口６１１と通じる。受入口６１１については、後で説明する。供給部６０Ｂの排出口６０１から排出されたトナーは、受入口６１１を通って、現像筐体６１Ａ内に入る。
【００３６】
アジテータ６０Ｃは、トナー収容部６０内に位置する。詳しくは、アジテータ６０Ｃは、収容筐体６０Ａ内に位置する。アジテータ６０Ｃは、収容筐体６０Ａ内のトナーを、供給部６０Ｂに向かって搬送する。アジテータ６０Ｃは、第１方向に延びる軸について回転可能である。
【００３７】
オーガスクリュー６０Ｄは、供給部６０Ｂ内に位置する。オーガスクリュー６０Ｄは、供給部６０Ｂ内のトナーを排出口６０１へ搬送する。
【００３８】
１．７．２  現像器６１
現像器６１は、第２方向において、感光ドラム５０とトナー収容部６０との間に位置する。現像器６１は、トナー収容部６０のトナーを感光ドラム５０に供給する。現像器６１は、現像筐体６１Ａと、現像アジテータ６１Ｂと、現像ローラ６１Ｃとを有する。つまり、現像カートリッジ６は、現像ローラ６１Ｃを備える。
【００３９】
現像筐体６１Ａは、トナーを収容する。詳しくは、現像筐体６１Ａは、受入口６１１を有する。受入口６１１は、トナー収容部６０の排出口６０１から排出されたトナーを受け入れる。これにより、トナー収容部６０の排出口６０１から排出されたトナーは、受入口６１１を通って現像筐体６１Ａに入る。現像筐体６１Ａは、トナー収容部６０からのトナーを収容する。
【００４０】
現像アジテータ６１Ｂは、現像筐体６１Ａ内に位置する。現像アジテータ６１Ｂは、現像筐体６１Ａ内のトナーを、現像ローラ６１Ｃに向かって搬送する。現像アジテータ６１Ｂは、第１方向に延びる軸について回転可能である。
【００４１】
現像ローラ６１Ｃは、トナーを感光ドラム５０の表面に供給可能である。現像ローラ６１Ｃは、感光ドラム５０の表面と接触可能である。現像ローラ６１Ｃは、第１方向に延びる軸について回転可能である。現像ローラ６１Ｃは、収容筐体６０Ａに支持される。現像ローラ６１Ｃは、現像筐体６１Ａ内のトナーを感光ドラム５０の表面に供給して、感光ドラム５０の表面の静電潜像を現像する。つまり、現像器６１は、トナー収容部６０のトナーを、現像筐体６１Ａに収容し、現像ローラ６１Ｃによって、感光ドラム５０に供給する。これによって、感光ドラム５０の表面にトナー像が形成される。感光ドラム５０の表面のトナー像は、シート供給部４からのシートＳが感光ドラム５０と転写ローラ５７との間を通るときに、転写ローラ５７によりシートＳに転写される。
【００４２】
１．８  定着装置８
定着装置８は、トナー像が転写されたシートＳを加熱および加圧して、シートＳにトナー像を定着させる。定着装置８を通過したシートＳは、筐体２の上面に排出される。
【００４３】
２．ドラムカートリッジ５の詳細
次に、図２を参照して、ドラムカートリッジ５の詳細について説明する。
【００４４】
図２に示すように、ドラムカートリッジ５は、ドラムフレーム５１と、クリーニングブレード５３と、廃トナー回収部５４と、廃トナー蓄積部５５と、廃トナー搬送部５６と、搬送ローラ５８と、をさらに備える。
【００４５】
２．１  ドラムフレーム５１
ドラムフレーム５１は、現像カートリッジ６を装着可能である。ドラムフレーム５１は、現像カートリッジ６を載せることが可能である。ドラムフレーム５１は、感光ドラム５０を回転可能に支持する。ドラムフレーム５１は、転写ローラ５７を回転可能に支持する。
【００４６】
２．２  クリーニングブレード５３
クリーニングブレード５３は、感光ドラム５０の周面をクリーニングする。言い換えれば、クリーニングブレード５３は、感光ドラム５０の周面から廃トナーを取り除く。クリーニングブレード５３は、感光ドラム５０の周面と接触する。クリーニングブレード５３は、感光ドラム５０の回転方向において、転写ローラ５７と帯電ローラ５２との間に位置する。クリーニングブレード５３は、第２方向において、感光ドラム５０に対してトナー収容部６０の反対側に位置する。第２方向は、第１方向と交差する。第２方向は、具体的には、第１方向と直交する。
【００４７】
２．４  廃トナー回収部５４
廃トナー回収部５４は、内部空間Ｓ１を有する。廃トナー回収部５４の内部空間Ｓ１には、クリーニングブレード５３によって感光ドラム５０の周面から取り除かれた廃トナーが回収される。廃トナー回収部５４は、第２方向において、感光ドラム５０に対してトナー収容部６０の反対側に位置する。廃トナー回収部５４は、クリーニングブレード５３を支持する。廃トナー回収部５４は、開口５４０を有する。開口５４０は、廃トナー回収部５４の内部空間Ｓ１と通じる。開口５４０は、廃トナーを受け入れる。廃トナー回収部５４は、廃トナーを収容可能である。
【００４８】
２．５  廃トナー蓄積部５５
廃トナー蓄積部５５は、内部空間Ｓ２を有する。廃トナー蓄積部５５の内部空間Ｓ２には、廃トナーが蓄積される。廃トナー蓄積部５５は、現像カートリッジ６を複数回交換して画像形成したときに生じる廃トナーを収容可能である。具体的には、廃トナー蓄積部５５は、現像カートリッジ６を３〜５回交換して画像形成したときに生じる廃トナーを収容できる。また、廃トナー回収部５４および廃トナー蓄積部５５は、感光ドラム５０の耐用枚数のシートＳに画像形成したときに生じる廃トナーを収容可能である。具体的には、廃トナー回収部５４および廃トナー蓄積部５５は、１０万枚のシートＳに画像形成したときに生じる廃トナーを収容可能である。廃トナー回収部５４の容積と廃トナー蓄積部５５の容積との総和は、トナー収容部６０の容積を１００としたときに、例えば、４５以上６０以下である。
【００４９】
廃トナー蓄積部５５は、第２方向において、感光ドラム５０に対して廃トナー回収部５４の反対側に位置する。廃トナー蓄積部５５は、第２方向において、転写ローラ５７に対して廃トナー回収部５４の反対側に位置する。廃トナー蓄積部５５は、第２方向において、露光装置７に対して廃トナー回収部５４の反対側に位置する（図１参照）。つまり、露光装置７は、第２方向において、廃トナー回収部５４と廃トナー蓄積部５５との間に位置する（図１参照）。廃トナー蓄積部５５は、ドラムフレーム５１の内部に設けられる。廃トナー蓄積部５５は、ドラムフレーム５１の一部である。廃トナー蓄積部５５は、現像カートリッジ６に対して下側に位置する。廃トナー蓄積部５５は、第２方向に延びる。廃トナー蓄積部５５は、第３方向において、第１壁５５０と、第２壁５５１とを備える。第３方向は、第１方向および第２方向と交差する。第３方向は、具体的には、第１方向および第２方向と直交する。第１壁５５０は、現像カートリッジ６と接触可能である。第２壁５５１は、第３方向において、第１壁５５０から離れて位置する。第２壁５５１は、第３方向において、第１壁５５０に対して、現像カートリッジ６の反対側に位置する。
【００５０】
２．６  廃トナー搬送部５６
廃トナー搬送部５６は、廃トナーを廃トナー回収部５４から廃トナー蓄積部５５に搬送する。廃トナー搬送部５６は、搬送管５６０と、オーガ５６１とを備える。搬送管５６０は、第１方向において、感光ドラム５０の一方側に位置する。感光ドラム５０は、第１方向において、第１端部と、第２端部とを有する。感光ドラム５０の第１端部は、第１方向において、感光ドラム５０の第２端部に対して、搬送管５６０の反対側に位置する。搬送管５６０は、第１方向において、感光ドラム５０の第２端部から離れて位置する。
【００５１】
搬送管５６０は、第２方向において、廃トナー回収部５４から廃トナー蓄積部５５まで延びる。搬送管５６０は、内部空間Ｓ３を有する。搬送管５６０は、第２方向において、第１端５６０Ａと、第２端５６０Ｂとを有する。第１端５６０Ａは、第２方向において、第２端５６０Ｂから離れて位置する。第１端５６０Ａは、廃トナー回収部５４に接続される。搬送管５６０の内部空間Ｓ３は、廃トナー回収部５４の内部空間Ｓ１と通じる。そのため、廃トナー回収部５４内のトナーを、搬送管５６０内へ運ぶことができる。第２端５６０Ｂは、廃トナー蓄積部５５に接続される。搬送管５６０の内部空間Ｓ３は、廃トナー蓄積部５５の内部空間Ｓ２と通じる。そのため、搬送管５６０内のトナーを、廃トナー蓄積部５５へ運ぶことができる。第２端５６０Ｂは、ドラムカートリッジ５が筐体２に装着された状態において、第１端５６０Ａよりも下側に位置する。そのため、搬送管５６０内のトナーは、重力によって第１端５６０Ａから第２端５６０Ｂに向かって流れる。
【００５２】
オーガ５６１は、搬送管５６０内に位置する。オーガ５６１は、廃トナーを廃トナー回収部５４から廃トナー蓄積部５５に向かって搬送する。
【００５３】
２．７  搬送ローラ５８
搬送ローラ５８は、第２方向において、感光ドラム５０に対して廃トナー回収部５４の反対側に位置する。搬送ローラ５８は、ドラムフレーム５１に回転可能に支持される。具体的には、搬送ローラ５８は、第２壁５５１に回転可能に支持される。搬送ローラ５８は、シートＳを感光ドラム５０に向かって搬送する。搬送ローラ５８は、ドラムカートリッジ５が筐体２に装着された状態において、搬送ローラ４２と接触する（図１参照）。
【００５４】
２．８  ドラムフレーム５１に対する現像カートリッジ６の装着状態
現像カートリッジ６は、ドラムフレーム５１に装着される。現像カートリッジ６は、ドラムフレーム５１に装着された状態において、廃トナー蓄積部５５に載る。具体的には、トナー収容部６０および現像器６１が、第１壁５５０と接触する。また、現像カートリッジ６が装着されたドラムカートリッジ５が筐体２に装着された状態において（図１参照）、トナー収容部６０の一部は、第３方向において、露光装置７に対して廃トナー蓄積部５５の反対側まで延びている。言い換えれば、トナー収容部６０の上端部は、露光装置７よりも上側に位置する。そのため、トナー収容部６０の容積を大きく確保でき、トナー収容部６０は、トナーの容量の向上を図ることができる。
【００５５】
２．９  筐体２に対するドラムカートリッジ５および現像カートリッジ６の装着
図３に示すように、ドラムカートリッジ５は、カバー３が開状態である場合、現像カートリッジ６が装着された状態において開口２０を介して筐体２内に装着可能である。本実施形態では、露光装置７は、カバー３の開閉と連動して、第１位置（図１参照）と、第２位置との間を移動可能である。露光装置７は、カバー３が閉状態である場合、第１位置に位置する（図１参照）。露光装置７は、カバー３が開状態である場合、第２位置に位置する。露光装置７の第２位置は、露光装置７の第１位置よりも上側に位置する。これによって、ドラムカートリッジ５を筐体２に装着するときに、ドラムカートリッジ５が露光装置７に接触することを抑制できる。
【００５６】
また、図４に示すように、現像カートリッジ６は、カバー３が開状態である場合、筐体２に装着されるドラムカートリッジ５のドラムフレーム５１に対して、開口２０を介して装着可能である。また、図５に示すように、トナー収容部６０は、カバー３が開状態である場合、ドラムフレーム５１に装着される現像器６１に対して、開口２０を介して装着可能である。
【００５７】
５．作用効果
図１に示すように、画像形成装置１では、現像カートリッジ６がトナー収容部６０を備え、ドラムカートリッジ５が廃トナー蓄積部５５を備える。そのため、トナー収容部６０と廃トナー蓄積部５５とを別々に交換できる。また、廃トナー回収部５４の内部空間Ｓ１に廃トナーを回収でき、廃トナー蓄積部５５の内部空間Ｓ２に廃トナーを蓄積できるので、ドラムカートリッジ５は、感光ドラム５０の交換時期までに生じる廃トナーを収容できる。その結果、ドラムカートリッジ５を交換することにより、感光ドラム５０と廃トナー蓄積部５５とを一緒に交換できる。
【００５８】
また、廃トナー蓄積部５５は、現像カートリッジ６を載せることができるドラムフレーム５１の内部に設けられる。そのため、トナー収容部６０の容積を大きく確保しても、廃トナー蓄積部５５を筐体２内に配置することができる。
【００５９】
６．変形例
次に、図６Ａおよび図６Ｂを参照して、変形例について説明する。変形例において、上記した実施形態と同様の部材には同様の符号を付し、説明を省略する。
【００６０】
図６Ａに示すように、廃トナー蓄積部５５は、第２方向において、搬送ローラ５８に対して感光ドラム５０の反対側に位置してもよい。廃トナー蓄積部５５は、第２方向において、現像器６１に対して、感光ドラム５０の反対側に位置してもよい。この場合、現像カートリッジ６がドラムフレーム５１に装着された状態において、トナー収容部６０が廃トナー蓄積部５５に載る。
【００６１】
図６Ｂに示すように、廃トナー蓄積部５５は、第２方向において、感光ドラム５０と搬送ローラ５８との間に位置してもよい。この場合、現像カートリッジ６がドラムフレーム５１に装着された状態において、現像器６１が廃トナー蓄積部５５に載る。
【００６２】
上記した実施形態では、露光装置７は、ＬＥＤユニットであるが、レーザースキャンユニットであってもよい。
【００６３】
また、現像器６１は、トナー収容部６０と一体であってもよい。現像器６１は、トナー収容部６０と仕切られていなくてもよい。この場合、トナー収容部６０は、供給部６０Ｂおよびオーガスクリュー６０Ｄを有さず、収容筐体６０Ａおよびアジテータ６０Ｃを有する。収容筐体６０Ａの内部空間は、現像筐体６１Ａの内部空間と通じる。
【００６４】
これら変形例によっても、上記した実施形態と同様の作用効果を奏することができる。
【符号の説明】
【００６５】
１      画像形成装置
２      筐体
２０    開口
５      ドラムカートリッジ
５０    感光ドラム
５１    ドラムフレーム
５２    帯電ローラ
５３    クリーニングブレード
５４    廃トナー回収部
Ｓ１    廃トナー回収部の内部空間
５５    廃トナー蓄積部
Ｓ２    廃トナー蓄積部の内部空間
５６    廃トナー搬送部
５７    転写ローラ
５８    搬送ローラ
６      現像カートリッジ
６０    トナー収容部
６１Ｃ  現像ローラ
７      露光装置
【図１】
2020160288.tif 000003
【図２】
2020160288.tif 000004
【図３】
2020160288.tif 000005
【図４】
2020160288.tif 000006
【図５】
2020160288.tif 000007
【図６】
2020160288.tif 000008